(57)【要約】【課題】記録媒体に形成されたときのオブジェクトの大きさに応じて、色材の使用量を効果的に抑制する。【解決手段】画像処理装置１６によれば、印刷方法として設定された集約数及び変倍率に基づいて、記録媒体に印刷されたときのオブジェクトに対する視角を算出する。そして、画像処理装置１６では、算出した視角が限界視角情報未満であるオブジェクトを、色材量低減対象として判定し、色材量低減対象と判定したオブジェクトについて、色材量低減化処理を行う。【選択図】図３
2012245707.tif 000002
【特許請求の範囲】
【請求項１】
集約数及び変倍率の少なくとも一方を含む印刷方法情報を受け付ける指定手段と、
人が色味を知覚出来る限界視角を示す限界視角情報を予め記憶した記憶手段と、
１または複数のオブジェクトの色データを含む画像データ及び前記印刷方法情報に基づいて、記録媒体に印刷されたときの前記オブジェクトに対する視角を算出し、算出した視角が前記限界視角情報以下であるオブジェクトを、色材量低減対象として判定する判定手段と、
前記画像データにおけるオブジェクトの内、前記色材量低減対象として判定されたオブジェクトの色材使用量を低減するように、前記画像データにおける該オブジェクトの色データを変換する変換手段と、
を備えた画像処理装置。
【請求項２】
前記記憶手段は、色データに対応づけて前記限界視角情報を記憶し、
前記判定手段は、前記画像データ及び前記印刷方法情報に基づいて、記録媒体に印刷されたときの前記オブジェクトに対する視角を算出し、算出した視角が、該各オブジェクトの色データに対応する前記限界視角情報以下であるオブジェクトを、色材量低減対象として判定する請求項１に記載の画像処理装置。
【請求項３】
前記変換手段は、前記色材量低減対象として判定されたオブジェクトの色データを変換してモノクロの色データにする請求項１または請求項２に記載の画像処理装置。
【請求項４】
前記変換手段は、前記色材量低減対象として判定されたオブジェクトの色が、該オブジェクトの色データの示すＨＳＶ色空間の色相角に対応する一次色となるように、該オブジェクトの色データを変換する請求項１または請求項２に記載の画像処理装置。
【請求項５】
画像処理装置で実行される画像処理方法であって、
前記画像処理装置は、人が色味を知覚出来る限界視角を示す限界視角情報を予め記憶した記憶手段を備え、
集約数及び変倍率の少なくとも一方を含む印刷方法情報を受け付けるステップと、
１または複数のオブジェクトの色データを含む画像データ及び前記印刷方法情報に基づいて、記録媒体に印刷されたときの前記オブジェクトに対する視角を算出し、算出した視角が前記限界視角情報以下であるオブジェクトを、色材量低減対象として判定するステップと、
前記画像データにおけるオブジェクトの内、前記色材量低減対象として判定されたオブジェクトの色材使用量を低減するように、前記画像データにおける該オブジェクトの色データを変換するステップと、
を含む画像処理方法。
【請求項６】
コンピュータに実行させるための画像処理プログラムであって、
前記コンピュータは、人が色味を知覚出来る限界視角を示す限界視角情報を予め記憶した記憶手段を備え、
集約数及び変倍率の少なくとも一方を含む印刷方法情報を受け付けるステップと、
１または複数のオブジェクトの色データを含む画像データ及び前記印刷方法情報に基づいて、記録媒体に印刷されたときの前記オブジェクトに対する視角を算出し、算出した視角が前記限界視角情報以下であるオブジェクトを、色材量低減対象として判定するステップと、
前記画像データにおけるオブジェクトの内、前記色材量低減対象として判定されたオブジェクトの色材使用量を低減するように、前記画像データにおける該オブジェクトの色データを変換するステップと、
を前記コンピュータに実行させるための画像処理プログラム。
【発明の詳細な説明】
【技術分野】
【０００１】
本発明は、画像処理装置、画像処理方法、および画像処理プログラムに関する。
【背景技術】
【０００２】
トナーやインク等の色材を用いて画像を形成する画像形成装置において、色材の使用量を削減するための技術が知られている。この技術としては、例えば、複数ページの画像データを縮小して１枚の記録媒体に印刷する集約印刷や、画像を縮小して印刷する縮小印刷等がある。
【０００３】
また、特許文献１には、所定値以上の集約数が設定された場合に、カラー印刷可能と判定し、所定値未満の集約数が設定された場合に、カラー印刷不可能と判定することが開示されている。
【発明の概要】
【発明が解決しようとする課題】
【０００４】
しかしながら、特許文献１では、集約印刷により人が色味を知覚することの困難な大きさで印刷される文字や画像等のオブジェクトについても、カラー印刷を行う。このため、知覚されない色のオブジェクトの印刷のために複数種の色材が消費されていた。
【０００５】
本発明は、上記に鑑みてなされたものであって、記録媒体に形成されたときのオブジェクトの大きさに応じて、色材の使用量を効果的に抑制することができる画像処理装置、画像処理方法、および画像処理プログラムを提供することを目的とする。
【課題を解決するための手段】
【０００６】
上述した課題を解決し、目的を達成するために、本発明は、集約数及び変倍率の少なくとも一方を含む印刷方法情報を受け付ける指定手段と、人が色味を知覚出来る限界視角を示す限界視角情報を予め記憶した記憶手段と、１または複数のオブジェクトの色データを含む画像データ及び前記印刷方法情報に基づいて、記録媒体に印刷されたときの前記オブジェクトに対する視角を算出し、算出した視角が前記限界視角情報以下であるオブジェクトを、色材量低減対象として判定する判定手段と、前記画像データにおけるオブジェクトの内、前記色材量低減対象として判定されたオブジェクトの色材使用量を低減するように、前記画像データにおける該オブジェクトの色データを変換する変換手段と、を備えた画像処理装置である。
【０００７】
また、本発明は、画像処理装置で実行される画像処理方法であって、前記画像処理装置は、人が色味を知覚出来る限界視角を示す限界視角情報を予め記憶した記憶手段を備え、集約数及び変倍率の少なくとも一方を含む印刷方法情報を受け付けるステップと、１または複数のオブジェクトの色データを含む画像データ及び前記印刷方法情報に基づいて、記録媒体に印刷されたときの前記オブジェクトに対する視角を算出し、算出した視角が前記限界視角情報以下であるオブジェクトを、色材量低減対象として判定するステップと、前記画像データにおけるオブジェクトの内、前記色材量低減対象として判定されたオブジェクトの色材使用量を低減するように、前記画像データにおける該オブジェクトの色データを変換するステップと、を含む画像処理方法である。
【０００８】
また、本発明は、コンピュータに実行させるための画像処理プログラムであって、前記コンピュータは、人が色味を知覚出来る限界視角を示す限界視角情報を予め記憶した記憶手段を備え、集約数及び変倍率の少なくとも一方を含む印刷方法情報を受け付けるステップと、１または複数のオブジェクトの色データを含む画像データ及び前記印刷方法情報に基づいて、記録媒体に印刷されたときの前記オブジェクトに対する視角を算出し、算出した視角が前記限界視角情報以下であるオブジェクトを、色材量低減対象として判定するステップと、前記画像データにおけるオブジェクトの内、前記色材量低減対象として判定されたオブジェクトの色材使用量を低減するように、前記画像データにおける該オブジェクトの色データを変換するステップと、を前記コンピュータに実行させるための画像処理プログラムである。
【発明の効果】
【０００９】
本発明によれば、記録媒体に形成されたときのオブジェクトの大きさに応じて、色材の使用量を効果的に抑制することができるという効果を奏する。
【図面の簡単な説明】
【００１０】
【図１】図１は、第１の実施形態にかかる画像形成装置の全体構成を示すブロック図である。
【図２】図２は、記憶部に記憶される限界視角情報の一例を示す図であり、（Ａ）は、ＲＧＢの色相情報に対応づけて記憶された限界視角情報の一例を示す図であり、（Ｂ）は、ＲＧＢの色相情報及び明度情報に対応づけて記憶された限界視角情報の一例を示す図である。
【図３】図３は、第１の実施形態にかかる画像形成装置の全体構成を示すブロック図である。
【図４】図４は、画像データの１例を示す模式図であり、（Ａ）はモノクロ化処理前の画像データを示す模式図であり、（Ｂ）はモノクロ化処理後の画像データを示す模式図である。
【図５】図５は、視角の計算を示す模式図である。
【図６】図６は、第１の実施の形態の画像処理の手順を示すシーケンス図である。
【図７】図７は、入力画面の１例を示す模式図である。
【図８】図８は、入力画面の１例を示す模式図である。
【図９】図９は、入力画面の１例を示す模式図である。
【図１０】図１０は、第２の実施の形態に係る画像形成装置の全体構成を示すブロック図である。
【図１１】図１１は、入力画面の１例を示す模式図である。
【図１２】図１２は、第１の実施の形態、及び第２の実施の形態の、画像処理装置のハードウェア構成例を示すブロック図である。
【発明を実施するための形態】
【００１１】
以下に添付図面を参照して、本実施の形態の画像処理装置および画像処理方法の実施形態を詳細に説明する。
【００１２】
（第１の実施形態）
図１は、第１の実施形態にかかる画像処理装置およびこれを用いた画像形成装置１０の全体構成を示すブロック図である。画像形成装置１０は、画像処理装置１６と、画像形成部１４と、を備える。
【００１３】
画像処理装置１６は、印刷対象の画像データに各種画像処理を行う。画像処理装置１６は、指定部１２、処理部１８、及び記憶部２０を備える。
【００１４】
指定部１２は、印刷方法を示す印刷方法情報を受け付ける。印刷方法情報は、集約印刷の有無、集約数、変倍印刷の有無、変倍率、及び色材量低減処理の有無を示す情報を含む。なお、本実施の形態では、印刷方法情報は、集約印刷の有無、集約数、変倍印刷の有無、変倍率、及び色材量低減処理の有無を示す情報を含む場合を説明する。しかし、印刷方法情報は、集約数及び変倍率の少なくとも一方を含む情報であればよい。
【００１５】
指定部１２は、ユーザーによって操作指示されることにより、印刷方法情報を受け付ける。指定部１２としては、公知のタッチパネル、キーボードやマウス等の各種入力装置等が挙げられる。
【００１６】
記憶部２０は、人が色味を知覚する限界視角を示す限界視角情報を、色相情報に対応づけて予め記憶する。すなわち、記憶部２０は、各色相に対する人の限界視角を示す情報を予め記憶する。限界視角とは、予め定められた距離ｆから文字等のオブジェクトを観察した時に、人が色味を見分けることの出来る限界の視角を示す。色味を見分けるとは、無彩色と有彩色とを見分けることを示す。視角とは、人の目に投影される物体のなす角度である。詳細には、視角とは、予め定められた距離ｆから文字等のオブジェクトを観察した時に、人の目に投影される該オブジェクトのなす角度を示している。本実施の形態では、人間が色味を見分けられる大きさの限度を、視角で定義する。なお、本実施の形態では、限界視角を定めるときに用いる上記距離ｆと、視角を定めるときに用いる上記距離ｆとは同じであるものとする。この距離ｆとして、記憶部２０には、記録媒体上に印刷されたオブジェクトを人が視認するときの、記録媒体と人の目との距離が予め記憶されている。この距離ｆとしては、例えば、５０ｃｍ等が挙げられるが、これに限られない。
【００１７】
ここで、人間の視覚について簡単に説明する。人間の眼の網膜上には、錐体と呼ばれる３種類の細胞（L錐体、M錐体、S錐体）と、桿体と呼ばれる細胞と、が存在する。錐体は、それぞれ赤・緑・青の光刺激を感じる性質を持つ。桿体は、明るさを感じる性質を持つ。人間は、それぞれの錐体細胞に入射した光刺激により、色を感じ取る。桿体と錐体の数は、それぞれ１億個と７００万個程度であり、上記３種類の錐体細胞の数の比率は、個人差はあるが、概ね３２対１６対１と言われている。錐体は桿体に比べ、数が圧倒的に少なく、十分な強さの光が入射しないと、色を感じ取りにくい。また、錐体の中でもＳ錐体は特に数が少ない。このため、青色の光に対する人間の感度は低い。よって、例えば、非常に小さい文字があった場合、青＞緑＞赤の順で、人間は色味を感じにくくなる。すなわち、青色（Ｂ）の文字等のオブジェクトに対する人間の限界視角は、緑色（Ｇ）や赤色（Ｒ）のオブジェクトに対する人間の限界視角に比べて大きい（図２（Ａ）参照）。なお、オブジェクトについては詳細を後述する。
【００１８】
このため、記憶部２０は、各色相を示す情報である、Ｒ（赤色）、Ｇ（緑色）、及びＢ（青色）の各々に対応する限界視角情報として、例えば、図２（Ａ）に示す情報を記憶する。なお、図２では、限界視角情報を、単位‘ｍｉｎ’で示している。なお、１ｍｉｎは、１／６０度に相当する。
【００１９】
なお、図２（Ａ）に示す限界視角情報は、大きさの異なる複数種類の黒文字と色文字とを用意し、複数人によって視認させ、色味の違いがほとんど分からなくなる限界視角を統計的に求めた１例である。すなわち、図２（Ａ）に示す限界視角情報は一例であり、記憶部２０に記憶され限界視角情報は、図２（Ａ）に示す値に限られない。
【００２０】
また、本実施の形態では、記憶部２０は、色相情報に対応づけて限界視角情報を記憶する場合を説明するが、更に、明度情報も対応づけて記憶してもよい。
【００２１】
例えば、同じ色相であっても、明度が異なると、その限界視角は異なるものとなる。このため、例えば、記憶部２０は、図２（Ｂ）に示すように、色相及び明度を示す情報（図２（Ｂ）では高明度及び低明度）に対応づけて、限界視角情報を記憶してもよい。
【００２２】
図１に戻り、処理部１８は、印刷対象の画像データを受け付ける。この画像データには、１または複数のオブジェクトの描画命令を示す情報が含まれている。オブジェクトとは、同じ色や大きさで示される描画対象であり、例えば、文字や、表や、直線や、図形等が挙げられる。この描画命令には、各オブジェクトの印刷位置を示す情報や、オブジェクトの大きさを示す情報や、オブジェクトの色を示す色データが含まれる。
【００２３】
なお、処理部１８は、図示を省略する記憶部から画像データを受け付けてもよいし、パーソナルコンピュータ等の外部装置から無線または有線の通信線（図示省略）を介して画像データを受け付けてもよい。また、画像形成装置１０が公知のスキャナ装置を備えた構成である場合には、スキャナ装置によって読み取った画像データを処理部１８で受けつけてもよい。
【００２４】
この処理部１８は、図３に示すように、判定部１８Ａ及び変換部１８Ｂを備える。判定部１８Ａは、画像データ、印刷方法情報、及び限界視角情報に基づいて、画像データに含まれる１または複数のオブジェクトの各々について、色材量低減対象のオブジェクトであるか否かを判定する（詳細後述）。変換部１８Ｂは、判定部１８Ａで色材量低減対象と判定したオブジェクトの色材使用量を低減するように、該オブジェクトの色データを変更する。
【００２５】
具体的には、判定部１８Ａは、画像データにおける各オブジェクトについて、画像データに示される各オブジェクトの大きさを示す情報、及び印刷方法情報に含まれる集約数及び変倍率から、記録媒体に印刷されたときの各オブジェクトの大きさ（すなわち記録媒体上での大きさ）を算出する。そして、判定部１８Ａは、印刷時の各オブジェクトの大きさから、該大きさの各オブジェクトに対する視角を算出する。
【００２６】
判定部１８Ａは、この視角の算出を、以下のようにして行う。
【００２７】
図４（Ａ）には、ページ記述言語で記述された画像データの例を示す。判定部１８Ａでは、まず画像データから、各オブジェクトの大きさを示す情報の記載された箇所を検索する。具体的には、画像データが図４（Ａ）に示す画像データであった場合、判定部１８Ａは、ＦｏｎｔＳｉｚｅ、ＲｅｃｔＦｉｌｌ、ＬｉｎｅＷｉｄｔｈといった、文字サイズの指定や図形描画、線幅の指定を示す命令が記述された箇所を探索する。
【００２８】
次に、判定部１８Ａは、これらの大きさを示す情報で対応する各オブジェクトを記録媒体に印刷した場合の、各オブジェクトに対する視角を算出する。
【００２９】
詳細には、まず、判定部１８Ａは、画像データにおける各オブジェクトの大きさを示す情報から、集約印刷や変倍印刷を行わない場合の、印刷時の大きさを示す情報を算出する。
【００３０】
例えば、判定部１８Ａは、画像データにおける各オブジェクトの大きさを示す情報から、集約印刷や変倍印刷を行わなかったときの印刷時の大きさを示す情報を算出するための基準情報や変換テーブルや変換式等を予め記憶している。そして、判定部１８Ａでは、画像データに示される各オブジェクトの大きさを示す情報から、集約印刷や変倍印刷を行わないときの印刷時の各オブジェクトの大きさを示す情報を算出する。
【００３１】
例えば、図４（Ａ）のＣ１０１は、文字サイズとして１０ポイントが指定されている。通常、文字サイズ１０ポイントは、記録媒体に印刷した場合の文字高さ約２．２５ｍｍに相当する。一般的に、集約印刷や縮小印刷をしない場合に、ワープロソフトなどで指定する文字のポイント数等の大きさ情報と、記録媒体上の文字サイズ等の大きさ情報は、一意に決まっている。このため、本実施の形態では、判定部１８Ａは、あらかじめ基準となる基準情報を保持しておき、その基準情報との対比で、集約印刷や縮小印刷をしない場合の各オブジェクトの印刷時の大きさを算出する。
【００３２】
例えば、判定部１８Ａは、画像データ中で指定されている大きさ情報としての２０ポイントを示す情報に対応づけて、集約印刷や縮小印刷をしない場合の印刷時の記録媒体上での大きさ４．５ｍｍを示す情報を記憶している。そして、判定部１８Ａは、画像データ中にあるオブジェクトの大きさ情報として１０ポイントが指定されている場合、下記式（Ａ）を用いて、該オブジェクトの印刷時の大きさである２．２５ｍｍを算出する。
【００３３】
４．５×（１０／２０）＝２．２５ｍｍ        ・・・式（Ａ）
【００３４】
次いで、判定部１８Ａは、集約印刷や変倍印刷を行わない場合の各オブジェクトの印刷時の大きさを示す情報から、印刷方法情報に含まれる集約数及び変倍率で集約印刷及び変倍印刷を行ったときの記録媒体上での大きさを示す情報を算出する。
【００３５】
例えば、印刷方法情報が集約数‘２’、変倍率‘８０％’を示す情報を含んでいたとする。そして、あるオブジェクトの、集約印刷や変倍印刷を行わない場合の記録媒体上での大きさが２．２５ｍｍであったとする。この場合、判定部１８Ａは、下記式（Ｂ）を用いて、印刷方法情報に含まれる集約数及び変倍率で集約印刷及び変倍印刷を行ったときのオブジェクトの印刷時の大きさである０．０９ｃｍを算出する。
【００３６】
２．２５×（１／２）×０．８＝０．９ｍｍ＝０．０９ｃｍ        ・・・式（Ｂ）
【００３７】
そして、判定部１８Ａは、画像データに含まれる全てのオブジェクトについて、同様の演算を行う。
【００３８】
次に、判定部１８Ａは、印刷方法情報に含まれる集約数及び変倍率で集約印刷及び変倍印刷を行ったときの、各オブジェクトの印刷時の記録媒体上での大きさを示す情報を、視角に変換する。
【００３９】
例えば、図５に示すオブジェクトＰが記録媒体に形成されたとする。この場合、判定部１８Ａは、下記式（１）及び式（２）からθを算出する。そして、算出したθを２倍することによって、オブジェクトＰに対する視角２θを求める。
【００４０】
ｔａｎθ＝ｄ／ｆ                        ・・・・式（１）
θ＝ｔａｎ−１（ｄ／ｆ）                  ・・・・式（２）
【００４１】
なお、式（１）及び式（２）中、ｄは、オブジェクトＰの長さの１／２の値を示す（図５中、ＡＭ間の距離ｄ参照）。式（１）及び式（２）中、ｆは、観察距離（目とオブジェクトとの最短距離）を示す（図５中、ＯＭ間の距離ｆ参照）。式（１）及び式（２）中、θは、視角（２θ）の１／２の値を示す。
【００４２】
なお、式（１）及び式（２）中、θはラジアン単位である。このため、判定部１８Ａは、この２θの値に、１８０／πを乗算することによって、視角の表記に使われる度（ｄｅｇｒｅｅ）に換算する。
【００４３】
例えば、上記算出した、印刷方法情報に含まれる集約数及び変倍率で集約印刷及び変倍印刷を行ったときのオブジェクトの印刷時の大きさが０．０９ｃｍである上記オブジェクトについて、視角２θを算出する場合、判定部１８Ａは、下記式（Ｃ）によって視角２θを算出する。
【００４４】
２θ＝ａｒｃｔａｎ（０．０９／２／５０）＊１８０／π＊２≒０．１ｄｅｇ．≒６．２ｍｉｎ    ・・・式（Ｃ）
【００４５】
次に、判定部１８Ａは、記録媒体に形成されたときの各オブジェクトに対する視角が、各オブジェクトの色相に対応する限界視角情報未満であるオブジェクトを、色材量低減対象として判定する。そして、判定部１８Ａは、画像データと、画像データに含まれる全てのオブジェクトの判定結果と、を変換部１８Ｂへ送る。
【００４６】
詳細には、判定部１８Ａは、まず、画像データに含まれる、判定対象のオブジェクトの色データから、該オブジェクトの色相を判断する。なお、記憶部２０が、色相の色相環上の各位置に対応して限界視角情報を記憶していたとする。この場合には、判定部１８Ａは、判断した色相に対応する限界視角情報を記憶部２０から読み取る。そして、判定部１８Ａは、該オブジェクトの記録媒体への形成時の視角情報が、該読み取った限界視角情報未満である場合に、該オブジェクトを色材量低減対象として判定する。
【００４７】
なお、記憶部２０が、色相における光の三原色（Ｒ（赤）、Ｇ（緑）、Ｂ（青））の各々に対応する限界視角情報を記憶していたとする。この場合には、判定部１８Ａは、各オブジェクトの色データから、赤、緑、青の何れに最も近い色相であるかを判別し、判別した色相に対応する限界視角情報を記憶部２０から読み取ればよい。
【００４８】
また、記憶部２０が、色相と明度の双方に対応づけて、限界視角情報を記憶していたとする。この場合には、判定部１８Ａは、各オブジェクトの色データから、各オブジェクトの色相及び明度を判断し、判断した色相及び明度に対応する限界視角情報を記憶部２０から読み取ればよい。
【００４９】
具体的には、画像データが図４（Ａ）に示す画像データであったとする。この場合、判定部１８Ａは、あるオブジェクトの色データとして、Ｃ１０２にＦｏｎｔＣｏｌｏｒとしてＲＧＢ値で指定されている“１１３，８８，１４３”を読み取る。そして、この値から、判定部１８Ａは、該オブジェクトの色相を判断する。例えば、判定部１８Ａは、簡易な処理として、最も階調値の大きいＢ（青）を、該オブジェクトの色相として判断する。なお、上述したように、判定部１８Ａは、ＲＧＢ値を一意の変換式により、ＨＳＬやＨＳＶ色空間に変換し、色相角や明度により、該オブジェクトの色相（や明度）を判断してもよい。
【００５０】
そして、判定部１８Ａは、各オブジェクトの色相に対応する限界視角情報を記憶部２０から読み取り、該オブジェクトの記録媒体への形成時の視角情報が、該読み取った限界視角情報未満である場合に、該オブジェクトを色材量低減対象として判定する。
【００５１】
具体的には、記憶部２０に図２（Ａ）に示す限界視角情報が記憶されていたとする。この場合には、判定部１８Ａは、青色の色相（Ｂ）に対応する限界視角情報である１５．１ｍｉｎを読み取る。そして、この場合、判定部１８Ａは、該オブジェクトに対する視角６．２ｍｉｎが、限界視角情報１５．１ｍｉｎ未満であることから、該オブジェクトを色材量低減対象として判定する。
【００５２】
なお、図４（Ａ）に示す画像データには、あるオブジェクトとして、Ｃ３０２に、矩形領域を塗りつぶす命令が、始点の座標と縦横方向のポイント数で記述されている。該画像データに示される、このオブジェクトの大きさは、縦横それぞれ１５ポイントである。上記と同様にして計算すると、このオブジェクトの視角は２３．３ｍｉｎとなる。このため、このオブジェクトについては、判定部１８Ａは、色材量低減対象外として判定する。
【００５３】
そして、判定部１８Ａは、処理部１８で受け付けた画像データに含まれる全てのオブジェクトに対して上記処理を行うと、処理部１８で受け付けた画像データと、判定結果と、を変換部１８Ｂへ送る。なお、判定結果として、判定部１８Ａは、画像データにおけるオブジェクトの識別情報及び各オブジェクトに対応する低減対象情報または低減対象外情報を、変換部１８Ｂへ送る。
【００５４】
図３に戻り、変換部１８Ｂは、判定部１８Ａから受け付けた画像データと判定結果と、に基づいて、画像データにおけるオブジェクトの内、色材量低減対象として判定されたオブジェクトについてのみ、色材使用量を低減するように、該オブジェクトの色データを変更する。
【００５５】
この色材使用量の低減処理として、本実施の形態では、変換部１８Ｂは、色材量低減対象として判定されたオブジェクトの色データの色をモノクロ化（無彩色化）する。例えば、変換部１８Ｂは、色材量低減対象として判定されたオブジェクトの色相がモノクロとなるように、該オブジェクトの色データを変更する。
【００５６】
例えば、画像データが図４（Ａ）に示す画像データであったとする。この場合、変換部１８Ｂは、あるオブジェクトの色データとして、Ｃ１０２にＦｏｎｔＣｏｌｏｒとしてＲＧＢ値で指定されている“１１３，８８，１４３”を変更する。具体的には、このＲ（赤）の階調値及びＢ（青）の階調値を、Ｇ（緑）の階調値に置き換えて、“８８，８８，８８”に変更する（図４（Ｂ）参照）。
【００５７】
なお、変換部１８Ｂによるモノクロ化の処理方法は、モノクロとなるような変換であればよく、このような階調値の変換に限られない。例えば、色データとして示されるＲＧＢの色成分の階調値の全てを、輝度Ｙの情報に変換してもよい。ただし、ＲＧＢの色成分のうち、Ｇ成分が最も明るさへの寄与が大きい。このため、本実施の形態では、変換部１８Ｂは、Ｒ（赤）の階調値及びＢ（青）の階調値を、Ｇ（緑）の階調値に置き換えることで、モノクロ化を行う場合を説明する。
【００５８】
そして、変換部１８Ｂは、色材量低減対象として判定されたオブジェクトの色データの色をモノクロ化した後の画像データを、色変換部２２へ送る。このため、色変換部２２は、色材量低減対象として判定されたオブジェクトの色データについて、モノクロ化された画像データを受け付ける。
【００５９】
色変換部２２は、処理部１８から受け付けた画像データと、指定部１２から受け付けた印刷方法情報と、に基づいて、公知の方法によりラスタライズを行うと共に、画像形成部１４で形成可能な印刷用データ（通常は、ＣＭＹＫデータ）に変換する。そして、変換後の印刷用データを画像形成部１４へ送る。
【００６０】
画像形成部１４は、色材を含むトナーや、色材を含むインク等によって画像を形成する（すなわち、印刷する）公知の画像形成装置である。画像形成部１４は、印刷用データを受け付けると、受け付けた印刷用データに基づいて、記録媒体上に画像を印刷する。
【００６１】
次に、以上のように構成された本実施の形態の画像処理装置１６による画像処理について説明する。図６は、本実施の形態の画像処理の手順を示すシーケンス図である。
【００６２】
まず、指定部１２が印刷方法を示す印刷方法情報を受け付ける（ステップＳ１００）。そして、指定部１２は、受け付けた印刷方法情報を処理部１８へ送る。
【００６３】
指定部１２では、ステップＳ１００で、集約印刷の有無、集約数、変倍印刷の有無、変倍率、及び色材量低減処理の有無を示す情報を含む、印刷方法情報を受け付ける。これらの情報は、指定部１２に上記各種情報を入力するための入力画面を表示し、該表示画面に表示された各項目がユーザーによって選択指示されることによって指定部１２に入力される。
【００６４】
例えば、指定部１２に図７に示す入力画面を表示する。ユーザーは、指定部１２に表示された入力画面中に示される、集約印刷の有無及び集約数を設定するための設定部４０をマウスやタッチパネル等を介して操作指示することによって、集約印刷の有無及び集約数を設定する。図７に示す例では、集約印刷有りで且つ集約数“２”（記録媒体１頁に２頁分の画像データを印刷）を指定した場合を示した。
【００６５】
また、例えば、指定部１２に、図８に示す入力画面を表示する。ユーザーは、指定部１２に表示された入力画面中に示される、変倍印刷の有無及び変倍率を指定するための設定部４２をマウスやタッチパネル等を介して操作指示することによって、変倍印刷の有無及び変倍率を設定する。図８に示す例では、変倍印刷有りで且つ変倍率“８０％”を指定した場合を示した。
【００６６】
また、例えば、指定部１２に、図９に示す入力画面を表示する。ユーザーは、指定部１２に表示された入力画面中に示される、色材量低減処理の有無を指定するための設定ボックス４４をマウスやタッチパネル等を介して操作指示することによって、色材量低減処理の有無を設定する。図９に示す例では、色材量低減処理有りを指定した場合を示した。
【００６７】
次に、判定部１８Ａが、色材量低減モードであるか否かを判断する（ステップＳ１０２）。判定部１８Ａは、指定部１２から受け付けた印刷方法情報に色材量低減処理有りを示す情報が含まれる場合に、色材量低減モードであると判断し（ステップＳ１０２：Ｙｅｓ）、ステップＳ１０４へ進む。
【００６８】
一方、判定部１８Ａは、指定部１２から受け付けた印刷方法情報に色材量低減処理無しを示す情報が含まれる場合に、色材量低減モードではないと判断し（ステップＳ１０２：Ｎｏ）、ステップＳ１１４へ進む。
【００６９】
そして、以下のステップＳ１０４からステップＳ１１０までの処理を、処理部１８で受け付けた画像データにおけるオブジェクトの数分、オブジェクト毎に繰り返す。
【００７０】
判定部１８Ａは、画像データと、印刷方法情報に含まれる集約数及び変倍率を示す情報とに基づいて、画像データにおけるオブジェクトに対する視角を算出する（ステップＳ１０４）。
【００７１】
次いで、判定部１８Ａは、算出した視角と、画像データ、印刷方法情報、及び限界視角情報に基づいて、上記ステップＳ１０４で視角を算出したオブジェクトについて、色材量低減対象のオブジェクトであるか否かを判断する（ステップＳ１０６）。
【００７２】
判定部１８Ａは、ステップＳ１０４で視角を算出したオブジェクトが色材量低減対象であると判断した場合には（ステップＳ１０６：Ｙｅｓ）、ステップＳ１０８へ進み、判定部１８Ａは、ステップＳ１０４で視角を算出したオブジェクトを一意に識別する識別情報と、該オブジェクトが色材量低減対象であることを示す低減対象情報と、を対応づけて、判定部１８Ａの図示を省略するメモリに記憶する（ステップＳ１０８）。
【００７３】
一方、判定部１８Ａは、ステップＳ１０４で視角を算出したオブジェクトが色材量低減対象ではないと判断した場合には（ステップＳ１０６：Ｎｏ）、ステップＳ１１０へ進み、判定部１８Ａは、ステップＳ１０４で視角を算出したオブジェクトを一意に識別する識別情報と、該オブジェクトが色材量低減対象ではないことを示す低減対象外情報と、を対応づけて、判定部１８Ａの図示を省略するメモリに記憶する（ステップＳ１１０）。
【００７４】
上記のステップＳ１０４からステップＳ１１０までの処理を、処理部１８で受け付けた画像データに含まれる全てのオブジェクトに対して終了したら、判定部１８Ａは、画像データと、オブジェクトの識別情報及び各オブジェクトに対応する低減対象情報または低減対象外情報と、を変換部１８Ｂへ送る。
【００７５】
変換部１８Ｂは、モノクロ化処理を行う（ステップＳ１１２）。詳細には、変換部１８Ｂは、判定部１８Ａから受け付けた画像データにおけるオブジェクトのうち、低減対象情報の対応づけられたオブジェクトの色データについて、上述したモノクロ化処理を行う。
【００７６】
そして、変換部１８Ｂは、低減対象情報の対応づけられたオブジェクトの色データについて、モノクロ化処理を行った後の画像データを、色変換部２２へ送る。
【００７７】
色変換部２２は、モノクロ化処理後のページ記述言語で記述された画像データと、印刷方法情報に含まれる変倍率及び集約数を示す情報と、に基づいて、公知の方法でラスタライズを行ない、画像形成用の信号に変換した後に、画像形成部１４へ送る（ステップＳ１１４〜ステップＳ１２０）。
【００７８】
具体的には、色変換部２２は、集約印刷を行うか否かを判断する（ステップＳ１１４）。色変換部２２は、印刷方法情報に集約印刷有りを示す情報が含まれている場合に、集約印刷を行うと判断する（ステップＳ１１４：Ｙｅｓ）。次いで、色変換部２２は、画像データについて、公知の方法により集約処理を行う（ステップＳ１１６）。そして、ステップＳ１１８へ進む。一方、色変換部２２は、印刷方法情報に集約印刷無しを示す情報が含まれている場合には、集約印刷を行わないと判断し（ステップＳ１１４：Ｎｏ）、ステップＳ１１８へ進む。
【００７９】
次いで、色変換部２２は、変倍印刷を行うか否かを判断する（ステップＳ１１８）。色変換部２２は、印刷方法情報に変倍印刷有りを示す情報が含まれている場合に、変倍印刷を行うと判断する（ステップＳ１１８：Ｙｅｓ）。次いで、色変換部２２は、画像データについて、公知の方法により変倍処理を行う（ステップＳ１２０）。一方、色変換部２２は、印刷方法情報に変倍印刷無しを示す情報が含まれている場合には、変倍印刷を行わないと判断する（ステップＳ１１８：Ｎｏ）。そして、色変換部２２は、画像形成用の信号に変換して変換後の画像データを画像形成部１４に送った後に、本ルーチンを終了する。
【００８０】
以上説明したように、本実施の形態の画像処理装置１６によれば、印刷方法として設定された集約数及び変倍率に基づいて、記録媒体に形成された場合のオブジェクトに対する視角を算出する。そして、画像処理装置１６では、算出した視角が限界視角情報未満であるオブジェクトを、色材量低減対象として判定し、色材量低減対象と判定したオブジェクトについて、色材量低減化処理としてモノクロ化処理を行う。
【００８１】
このため、本実施の形態の画像処理装置１６によれば、画像データにおけるオブジェクトの内、集約印刷や変倍印刷によって、人が色味を知覚できる限界視角未満の大きさで記録媒体に印刷されるオブジェクトを、モノクロ化して印刷することができる。
【００８２】
従って、本実施の形態の画像処理装置１６によれば、記録媒体に形成されたときのオブジェクトの大きさに応じて、色材の使用量を効果的に抑制することができる。
【００８３】
（第２の実施の形態）
第１の実施の形態では、処理部１８は、色材使用量の低減処理として、色材量低減対象として判定されたオブジェクトの色データの色をモノクロ化（無彩色化）する場合を説明した。
【００８４】
本実施の形態では、処理部１８（本実施の形態では処理部１９、図１０参照）が、色材使用量の低減処理として、色材量低減対象として判定されたオブジェクトの色データの色を一次色化する場合を説明する。なお、ここでいう“一次色”とは、有彩色による一次色を示している。また、一次色化する、とは、画像形成部１４で用いる有彩色の色材（例えば、Ｃ（シアン）、Ｍ（マゼンタ）、Ｙ（イエロー）の内の、１種類の色材の色で再現する色（画像データ中で表現される色））に、画像データ中に示される色データを変換することを示している。例えば、Ｒ（赤）Ｇ（緑）Ｂ（青）の色データを、Ｃ（シアン）単色で再現するための色データであるＧ（緑）成分のみを含む色データに変換することを示す。
【００８５】
図１０に示すように、本実施の形態の画像形成装置１１は、画像形成部１４及び画像処理装置１７を備える。画像処理装置１７は、指定部１２、処理部１９、及び記憶部２０を備える。なお、画像形成部１４、色変換部２２、指定部１２、及び記憶部２０の機能及び構成は、第１の実施の形態と同様である。
【００８６】
処理部１９は、判定部１９Ａ及び変換部１９Ｂを備える。
【００８７】
判定部１９Ａは、判定部１８Ａと同様に、画像データ、印刷方法情報、及び限界視角情報に基づいて、画像データに含まれる１または複数のオブジェクトの各々について、色材量低減対象のオブジェクトであるか否かを判定する。変換部１９Ｂは、変換部１８Ｂと同様に、判定部１９Ａで色材量低減対象と判定したオブジェクトの色材使用量を低減するように、該オブジェクトの色データを変更する。
【００８８】
判定部１９Ａでは、処理部１９で受け付けた画像データと、判定結果（画像データにおけるオブジェクトの識別情報及び各オブジェクトに対応する低減対象情報または低減対象外情報）と、に加えて更に、各オブジェクトのＨＳＶ空間の色相角Ｈを示す情報を、変換部１９Ｂへ送る。
【００８９】
変換部１９Ｂでは、モノクロ化に代えて、一次色化を行う。
【００９０】
以下、判定部１９Ａ及び変換部１９Ｂについて、各々判定部１８Ａ及び変換部１８Ｂと異なる点について主に説明する。
【００９１】
判定部１９Ａでは、更に、各オブジェクトのＨＳＶ空間の色相角Ｈを算出する。
【００９２】
まず、判定部１９Ａでは、画像データに示される各オブジェクトの色データであるＲＧＢ各々の色成分の階調値から、各オブジェクトにおける各色成分の割合（比率）を算出する。具体的には、判定部１９Ａは、下記式（３）〜式（５）を用いて、各オブジェクトにおけるＲＧＢの色成分の割合（比率）を算出する。
【００９３】
Ｒ’＝Ｒ／２５５      ・・・式（３）
Ｇ’＝Ｇ／２５５      ・・・式（４）
Ｂ’＝Ｂ／２５５      ・・・式（５）
【００９４】
なお、式（３）中、Ｒは、画像データに示されるＲ成分の階調値を示し、Ｒ’は、Ｒ成分の比率を示す。式（４）中、Ｇは、画像データに示されるＧ成分の階調値を示し、Ｇ’は、Ｇ成分の比率を示す。式（５）中、Ｂは、画像データに示されるＢ成分の階調値を示し、Ｂ’は、Ｂ成分の比率を示す。
【００９５】
次に、判定部１９Ａは、各オブジェクト毎に、各オブジェクトにおけるＲＧＢの色成分の割合（比率）の内の最大値と最小値とを、下記式（６）〜式（７）を用いて求める。
【００９６】
ＭＡＸ＝ｍａｘ（Ｒ’，Ｇ’，Ｂ’）      ・・・式（６）
ＭＩＮ＝ｍｉｎ（Ｒ’，Ｇ’，Ｂ’）      ・・・式（７）
【００９７】
なお、式（６）中、ＭＡＸは、各オブジェクトにおけるＲＧＢの色成分の割合（比率）の内の最大値を示す。(ｍａｘ（Ｒ’，Ｇ’，Ｂ’）は、Ｒ’、Ｇ’、Ｂ’のうちでもっとも値の大きいものを抽出する関数である。また、式（７）中、ＭＩＮは、各オブジェクトにおけるＲＧＢの色成分の割合（比率）の内の最小値を示す。また、ｍｉｎ（Ｒ’，Ｇ’，Ｂ’）は、Ｒ’、Ｇ’、Ｂ’のうちでもっとも値の小さいものを抽出する関数である。
【００９８】
次いで、判定部１９Ａは、上記式（６）によって算出した、色成分の割合が最大値を示す色成分がＲ（赤）である場合には、下記式（８）を用いて、オブジェクトのＨＳＶ空間の色相角Ｈを求める。
【００９９】
Ｈ＝６０×（Ｇ’−Ｂ’）／（ＭＡＸ−ＭＩＮ）+０      ・・・式（８）
【０１００】
一方、判定部１９Ａは、上記式（６）によって算出した、色成分の割合が最大値を示す色成分がＧ（緑）である場合には、下記式（９）を用いて、オブジェクトのＨＳＶ空間の色相角Ｈを求める。
Ｈ＝６０×（Ｂ’−Ｒ’）／（ＭＡＸ−ＭＩＮ）+１２０      ・・・式（９）
【０１０１】
一方、判定部１９Ａは、上記式（６）によって算出した、色成分の割合が最大値を示す色成分がＢ（青）である場合には、下記式（１０）を用いて、オブジェクトのＨＳＶ空間の色相角Ｈを求める。
【０１０２】
Ｈ＝６０×（Ｒ’−Ｇ’）／（ＭＡＸ−ＭＩＮ）+２４０      ・・・式（１０）
【０１０３】
例えば、画像データが図４（Ａ）に示す画像データであった場合、判定部１９Ａは、図４（Ａ）中のＣ１０２に示される色データであるＲＧＢの階調値“１１３，８８，１４３”から、ＲＧＢの色成分の割合（比率）を算出する。
【０１０４】
Ｒ’＝１１３／２５５≒０．４４
Ｇ’＝８８／２５５≒０．３５
Ｂ’＝１４３／２５５≒０．５６
【０１０５】
次いで、判定部１９Ａは、図４（Ａ）中のＣ１０２に示される色データに対応するオブジェクトについて、ＲＧＢの色成分の割合の内の最大値と最小値とを、下記式によって算出する。
【０１０６】
ＭＡＸ＝ｍａｘ（０．４４，０．３５，０．５６）＝０．５６
ＭＩＮ＝ｍｉｎ（０．４４，０．３５，０．５６）＝０．３５
【０１０７】
さらに、判定部１９Ａは、図４（Ａ）中のＣ１０２に示される色データに対応するオブジェクトについて、色成分の割合が最大値を示す色成分がＢ（青）であることから（最大値“０．５６”）、上記式（１０）を用いて、下記式により、オブジェクトのＨＳＶ空間の色相角Ｈ（ｄｅｇ）を求める。
【０１０８】
Ｈ＝６０×（０．４４−０．３５）／（０．５６−０．３５）＋２４０≒２６６（ｄｅｇ．）
【０１０９】
次に、判定部１９Ａは、第１の実施の形態における判定部１８Ａと同様にして、画像データにおける各オブジェクトが色材量低減対象であるか否かを判定する。すなわち、判定部１９Ａは、記録媒体に形成されたときの各オブジェクトに対する視角が、各オブジェクトの色相に対応する限界視角情報未満であるオブジェクトを、色材量低減対象として判定する。そして、判定部１９Ａは、画像データと、画像データに含まれる全てのオブジェクトの判定結果と、各オブジェクトのＨＳＶ空間の色相角Ｈを示す情報を、変換部１９Ｂへ送る。
【０１１０】
変換部１９Ｂは、判定部１９Ａから受け付けた画像データと判定結果と、各オブジェクトのＨＳＶ空間の色相角Ｈを示す情報と、に基づいて、画像データにおけるオブジェクトの内、色材量低減対象として判定されたオブジェクトについてのみ、色材使用量を低減するように、該オブジェクトの色データを変更する。
【０１１１】
この色材使用量の低減処理として、本実施の形態では、変換部１９Ｂは、色材量低減対象として判定されたオブジェクトの色データの色を、一次色化する。具体的には、変換部１９Ｂは、画像形成部１４で用いる有彩色の色材の内の１種類の色材による一次色で再現される色データとなるように、色材量低減対象として判定されたオブジェクトの色データを変換する。このとき、変換部１９Ｂは、色材量低減対象として判定された各オブジェクトの色相角Ｈに基づいて、色相角Ｈに対応する１種類の色材による一次色で再現される色データとなるように、色データを変換する。
【０１１２】
例えば、色材量低減対象として判定されたオブジェクトの色相角Ｈが、２４０ｄｅｇ．以上２７９ｄｅｇ．以下であったとする。そして、該オブジェクトの画像データに示される色データが、図４（Ａ）中のＣ１０２にＦｏｎｔＣｏｌｏｒとしてＲＧＢ値で指定されている“１１３，８８，１４３”であったとする。なお、色相角Ｈ２４０ｄｅｇ．以上２７９ｄｅｇ．以下に対応する色相はＢ（青）である。このため、変換部１９Ｂは、該オブジェクトが、Ｂ（青）に対応する色材色であるＣ（シアン）の一次色で再現されるように、該オブジェクトの色データを“０，１４３，１４３”に変換する。すなわち、Ｂ（青）成分強度をＣ（シアン）成分強度とみなし、他の成分の階調値を‘０’とする。
【０１１３】
同様に、色材量低減対象として判定されたオブジェクトの色相角Ｈが、２７０ｄｅｇ．以上３３０ｄｅｇ．以下であったとする。この場合には、変換部１９Ｂは、該オブジェクトが、色材色であるＭ（マゼンタ）の一次色で再現されるように、該オブジェクトの色データを変換する。
【０１１４】
なお、色材量低減対象として判定されたオブジェクトの色相角Ｈが黄色に対応する場合には、色材色である黄色（Ｙ）の一次色でオブジェクトを再現すると、記録媒体上に形成されたオブジェクトの視認性が低下する。特に、記録媒体が白色である場合には、黄色の一次色で印刷されたオブジェクトは、見えづらい。
【０１１５】
このため、色材量低減対象として判定されたオブジェクトの色相角Ｈが黄色に対応する場合には、変換部１９Ｂは、色材量低減対象として判定されたオブジェクトの色データの色を、モノクロ化することが好ましい。
【０１１６】
以上説明したように、本実施の形態の画像処理装置１７によれば、印刷方法として設定された集約数及び変倍率に基づいて、画像データにおけるオブジェクトが記録媒体に形成された場合の該オブジェクトに対する視角を算出する。そして、画像処理装置１７では、算出した視角が限界視角情報未満であるオブジェクトを、色材量低減対象として判定し、色材量低減対象と判定したオブジェクトについて、色材量低減化処理として有彩色による一次色化処理を行う。
【０１１７】
このため、本実施の形態の画像処理装置１７によれば、画像データにおけるオブジェクトの内、集約印刷や変倍印刷によって、人が色味を知覚できる限界視角未満の大きさで記録媒体に印刷されるオブジェクトを、一次色化して印刷することができる。
【０１１８】
従って、本実施の形態の画像処理装置１７によれば、記録媒体に形成されたときのオブジェクトの大きさに応じて、色材の使用量を効果的に抑制することができる。
【０１１９】
なお、上記第１の実施の形態及び上記第２の実施の形態では、記憶部２０に、人が色味を知覚する限界視角を示す限界視角情報を、色相情報に対応づけて予め記憶する場合を説明した。
【０１２０】
しかし、指定部１２で更に限界視角情報を受け付けるようにし、受け付けた限界視角情報を記憶部２０に記憶してもよい。
【０１２１】
この場合には、指定部１２に、図１１に示す入力画面を表示して、ユーザーがマウスやタッチパネル等を介して操作指示することによって、限界視角情報を設定すればよい。この図１１に示す入力画面は、指定部１２に、図９に示す入力画面を表示し、ユーザーが設定ボックス４４をマウスやタッチパネル等を介して操作指示することによって、色材量低減処理の有りを設定したときに、指定部１２に表示すればよい。
【０１２２】
そして、指定部１２に図１１に示す入力画面が表示されたときに、ユーザーが、所定の距離（例えば５０ｃｍ程度）から、大きさの異なる黒文字と色文字（例えば、青、緑、赤の3種）の組を観察し、黒文字と色文字の色味の違いがほとんど分からなくなる大きさの文字の組を選択する。これによって、指定部１２は、限界視角を示す限界視角情報を受け付けるようにすればよい。
【０１２３】
そして、記憶部２０は、指定部１２で受け付けた限界視角情報を記憶すればよい。
【０１２４】
なお、上述したように、一般的な錐体の個数の比率は、概ね明らかになっているが、一方、特定の錐体を持たない視覚特性（色覚特性）を持つ人も一定割合存在することも明らかになっている。そこで、このように、指定部１２で限界視角情報を受け付け、記憶部２０に記憶されている限界視角情報を適宜更新することによって、特定の色の色味が感じられにくい人であっても、ユーザーの視覚特性に合わせて、適切に色材量を低減することができる。
【０１２５】
次に、第１の実施の形態、及び第２の実施の形態の、画像処理方法を実現するプログラムを実行可能な画像処理装置１６及び画像処理装置１７のハードウェア構成を説明する。
【０１２６】
図１２は、第１の実施の形態、及び第２の実施の形態の、画像処理方法を実現するプログラムを実行可能な画像処理装置１６及び画像処理装置１７としてのコンピュータ４００のハードウェア構成を示すブロック図である。
【０１２７】
図１２に示されるように、コンピュータ４００は、プログラム読取装置４００Ａと、ＣＰＵ（Ｃｅｎｔｒａｌ  Ｐｒｏｃｅｓｓｉｎｇ  Ｕｎｉｔ）４００Ｂと、ＲＡＭ（Ｒａｎｄｏｍ  Ａｃｃｅｓｓ  Ｍｅｍｏｒｙ）４００Ｃと、ＲＯＭ（Ｒｅａｄ  Ｏｎｌｙ  Ｍｅｍｏｒｙ）４００Ｄと、ハードディスク４００Ｅと、ＮＩＣ（Ｎｅｔｗｏｒｋ  Ｉｎｔｅｒｆａｃｅ  Ｃａｒｄ）４００Ｆと、マウス４００Ｇと、キーボード４００Ｈと、画像データを表示しユーザーが画面に直接触れることで情報の入力が可能なディスプレイ４１１と、プリンタ４１２を備えている。なお、本実施形態にかかる画像処理装置１６及び画像処理装置１７は、例えばワークステーションやパーソナルコンピュータ等で実現することができる。なお、ＣＰＵ４００Ｂで行われる処理機能は、例えばソフトウェアパッケージ、具体的には、ＣＤ−ＲＯＭや磁気ディスク等の情報記録媒体の形で提供することができる。このため、図１２に示す例では、情報記録媒体がセットされると、これを駆動する不図示の媒体駆動装置が設けられているものとする。
【０１２８】
上記構成の場合、指定部１２（図１及び図１０参照）の機能は、マウス４００Ｇまたはキーボード４００Ｈ、あるいはディスプレイ４１１によって担うことができる。また、画像形成部１４（図１及び図１０参照）の機能は、プリンタ４１２によって担うことが出来る。
【０１２９】
第１の実施の形態及び第２の実施の形態の画像処理装置１６及び画像処理装置１７で実行される、画像処理の手順を示すシーケンスを実行するための画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１３０】
また、第１の実施の形態及び第２の実施の形態の画像処理装置１６及び画像処理装置１７で実行される画像処理プログラムを、インターネット等のネットワークに接続されたコンピュータ上に格納し、ネットワーク経由でダウンロードさせることにより提供するように構成してもよい。また、第１の実施の形態及び第２の実施の形態の画像処理装置１６及び画像処理装置１７で実行される画像処理プログラムをインターネット等のネットワーク経由で提供または配布するように構成してもよい。
【０１３１】
また、第１の実施の形態及び第２の実施の形態の画像処理装置１６及び画像処理装置１７で実行される画像処理プログラムを、ＲＯＭ４００Ｄ等に予め組み込んで提供するように構成してもよい。
【０１３２】
第１の実施の形態及び第２の実施の形態の画像処理装置１６及び画像処理装置１７で実行される画像処理プログラムは、上述した各部（指定部、処理部（判定部、変換部）、記憶部、色変換部）を含むモジュール構成となっており、実際のハードウェアとしてはＣＰＵ（プロセッサ）が上記記憶媒体から画像処理プログラムを読み出して実行することにより上記各部がＲＡＭ４００Ｃ等の主記憶装置上にロードされ、指定部、処理部（判定部、変換部）、記憶部、色変換部が主記憶装置上に生成されるようになっている。
【０１３３】
なお、上記実施の形態では、画像形成装置を、印刷装置に適用した例をあげて説明したが、コピー機能、プリンタ機能、スキャナ機能およびファクシミリ機能のうち少なくとも２つの機能を有する複合機、複写装置、ファクシミリ装置等の印刷機能を有する画像形成装置であればいずれにも適用することができる。
【符号の説明】
【０１３４】
１２  指定部
１４  画像形成部
１６、１７  画像処理装置
１８、１９  処理部
１８Ａ、１９Ａ  判定部
１８Ｂ、１９Ｂ  変換部
２０  記憶部
２２  色変換部
【先行技術文献】
【特許文献】
【０１３５】
【特許文献１】特開２００８−２８９２１号公報
【図１】
2012245707.tif 000003
【図２】
2012245707.tif 000004
【図３】
2012245707.tif 000005
【図４】
2012245707.tif 000006
【図５】
2012245707.tif 000007
【図６】
2012245707.tif 000008
【図７】
2012245707.tif 000009
【図８】
2012245707.tif 000010
【図９】
2012245707.tif 000011
【図１０】
2012245707.tif 000012
【図１１】
2012245707.tif 000013
【図１２】
2012245707.tif 000014